(57)【特許請求の範囲】
【請求項１】
頭部、該頭部の下方に接続する胴部、および該胴部の下方に接続し、アンダーカット部を備えた係止部を有するランナーロックピンにおいて、前記係止部はその周方向に設けられたモールド材を係止するための切り込みをその軸方向関し複数個備え、前記係止部にその軸方向に、平行又は略平行な切り込み面を有するＤカットの切り込みが設けられていることを特徴とするランナーロックピン。
【発明の詳細な説明】
【０００１】
【発明の属する技術分野】
本発明はプラスチックの成型加工に用いられるプラスチックモールド型に関し、特にプラスチックモールド型に於けるランナーロックピンに関する。
【０００２】
【従来の技術】
プラスチック材料をモールド型を用いて成型加工し、プラスチック製品を製造する方法は、形状が複雑なものであっても一体として能率良く加工することができるので、容器、各種部品等の広い分野に用いられてきた。特に、近年に於いては、例えばスーパーエンプラと称される材料のように、強度、耐熱性共に金属に劣らない強化プラスチック材料が開発されたので、従来金属製であった部品等がかなり、かかる強化プラスチック材料製のものへと置き換えられつつある。
【０００３】
ここで、かかる強化プラスチック材料も含め、プラスチック材料をモールド型を用いて成型加工するために従来用いられていたモールド型の構成と作用につき、図面を参照して説明する。図８は、従来のプラスチックモールド型の基本構成を示す断面図である。図９は図８に於いてＧで示す部分の拡大図である。図８に於いて、５１は製品、５２、５３は製品５１の外形を定める合わせ型の型板である。一方の型板５３には湯道用の通孔５３ａが設けられ、製品用の窪み５３ｂに連通している。他方の型板５２には製品用の窪み５２ｂおよび該窪み５２ｂに連通する案内孔５２ｃが設けられ、該案内孔５２ｃは排出ピン６０を案内する。５４は前記型板５３の窪み５３ｂと反対側の面に結合されるランナープレートであり、垂直方向（厚さ方向）に前記型板５３の通孔５３ａに連通する湯道用の通孔５４ａが設けられている。ランナープレート５４の前記型板５３と反対側の面５４ｃには、前記通孔５４ａと連通する湯道用の溝５４ｂが設けられている。
【０００４】
５５は前記ランナープレート５４と面５４ｃと垂直方向に離接可能に設けられたストッパープレートである。５６は該ストッパープレート５５の前記ランナープレート５４と反対側において同様に離接可能に設けられた取付板である。５８はランナーロックピンであり、頭部５８ａ、胴部５８ｂおよび係止部５８ｃよりなっている。前記ストッパープレート５５と取付板５６には、それぞれ、ランナーロックピン５８を案内する案内孔５５ａと５６ａが同軸に設けられている。取付板５６側の案内孔５６ａの外端部には段部５６ａ１が設けられ、該段部５６ａ１がランナーロックピン５８の頭部５８ａの位置を規制する。５９は湯道用のスリーブであり、中心軸に沿って通孔５９ａを有している。スリーブ５９は、ストッパープレート５５と取付板５６に、同軸にそれぞれ設けられた保持孔５５ｃ、５６ｃにより保持される。６１は成型機ノズルであり、ノズル孔６１ａを有している。６２はランナーロックピン５８およびスリーブ５９を押さえる押さえ部材である。
【０００５】
これらの部材を有するモールド型を用いて射出成型を行う方法を略述する。図示しない案合手段および押圧手段により、型板５２、５３、ランナープレート５４、ストッパープレート５５、取付板５６、スリーブ５９、および成型機ノズル６１が一体として順次接触している状態とする。このとき、ランナーロックピン５８はその頭部５８ａが押さえ部材６２により取付板５６の案合孔５６ａの段部５６ａ１に押圧され、胴部５８ｂが、案内孔５６ａおよびこれに同軸で連通するストッパープレート５５の案内孔５５ａに案内・保持される。図９に示すように、前記胴部５８ｂに接続する係止部５８ｃが前記ランナープレート５４の溝５４ｂと連通するストッパープレート５５の案内孔５５ａの出口５５ａ１から外にランナープレート５４の通孔５４ａに向かってランナープレート５４の溝５４ｂ内に突出して配置される。係止部５８ｃは頭部５８ａに向かって径が減少する逆テーパーの形状をなし、アンダーカットの切り込み５８ｃ１を有する。そして、係止部５８ｃに於ける最大径は先端にあるが、最大径は胴部５８ｂの外径よりも小である。
【０００６】
一方、成型機ノズル６１のノズル孔６１ａとスリーブ５９の通孔５９ａは同軸に配されて連通し、通孔５９ａは更にランナープレート５４の溝５４ｂに連通している。このようにして、成型機ノズル６１のノズル孔６１ａは前記のスリーブ５９の通孔５９ａ、ランナープレート５４の溝５４ｂ、その通孔５４ａ、型板５３の通孔５３ａを順次経て型板５２の窪み５２ｂおよび型板５３の窪み５３ｂが合わせられて形成される型空間６５に連通する。即ち、モールド型内においては通孔５９ａから通孔５３ａまでを含む湯道６３が構成される。
【０００７】
この状態で、図示しない成型機により樹脂材を溶融・加圧し、ノズル孔６１ａより樹脂材を射出すると、溶融した樹脂材は前記の湯道６３を通って窪み５２ｂおよび５３ｂにより構成される型空間６５に達し、該型空間６５および湯道６３内の空気を排除し、該型空間６５および湯道６３を樹脂材で充填する。このとき、空気は排出ピン６０と案内孔５２ｃの隙間、ランナーロックピン５８と案内孔５５ａ、５６ａの隙間（その他必要に応じ図示しない空気抜き手段）を通って外部に排除される。このようにして、前記型空間６５に充填された樹脂材により、目的とする製品５１が形成され、湯道６３内に充填された樹脂材によりランナー６４が形成される。
【０００８】
図９に示すように、このとき、樹脂は前記溝５４ｂから胴部５８ｂと案内孔５５ａの出口５５ａ１の間の隙間にその充填部材６４ｄとして入り込むとともに、前記切り込み５８ｃ１のなすアンダーカット空間内にその充填部材６４ｃ１として入り込み、前記隙間およびアンダーカット空間を充填し、これら充填部材６４ｄと６４ｃ１がランナー６４の係合部６４ｈとなる。樹脂が冷却・固化されるとランナー６４は前記係合部６４ｈに於いてランナーロックピン５８の係止部５８ｃにより係止される。なお、湯道内の樹脂が冷却・固化する前に図８に示す成型機ノズル６１をモールド型から引き離す。
【０００９】
次に、樹脂材が固化した後、図示しない案内手段および駆動手段により、先ず、ランナープレート５４とストッパープレート５５の間のみを引き離す。図１０は図８に示したモールド型に樹脂を注入後、冷却・固化した後にランナープレート５４とストッパープレート５５の間を引き離しつつある状態を示す図である。このとき、前記のように、ランナー６４はランナーロックピン５８の係止部５８ｃにより、ストッパープレート５５から離れないように係止されているので、図１０に示すように、これと一体として移動し、ランナー６４は製品５１と結合するくびれ部６４ｂ（図８参照）において、製品５１から分離される。
【００１０】
次にストッパープレート５５と取付板５６の間が開き、ランナーロックピン５８は取付板５６とともに移動し、ストッパープレート５５に保持されたランナー６４から抜け出し、ロックが解除される。ロックが解除されたランナー６４は図示しない取り出し手段によりストッパープレート５５から取り外される。一方、型板５３と型板５２の間が開き、型板５２側に残った製品を排除ピン６０を押すことにより取り出す。このようにして、次回の成型加工の待機状態となる。
【００１１】
【発明が解決しようとする課題】
しかしながら、前記のような強化プラスチック材料を使用する場合には、一旦成型加工を行った後には、図１１に示すように、ランナーロックピン５８の係止部５８ｃの切り込み５８ｃ１部には前記ランナー６４から引き抜く際に一緒に剥離された残樹脂６４ｃがリング状に付着し易い。図１２は前記のようにストッパープレート５５と取付板５６の間を開き、ランナーロックピン５８をスットパープレート５５に保持されたランナー６４の係合部６４ｈから引き抜いている状態を示す図である。図１２に示すように、ランナーロックピン５８を引き抜くには、ランナー６４の係合部６４ｈの内径をランナーロックピン５８の係止部の先端５８ｃ２の外径の大きさにまで（破線の状態から実線の状態に）広げる必要がある。ランナーロックピン５８に引き抜き力を加えると、前記係合部６４ｈは内側から外方へ圧力が加えられ内径が拡大する。すなわち、ランナーロックピン５８の移動に伴い、前記の内径が拡大するように、前記係合部６４ｈの圧縮量および圧縮力が増加して行く。
【００１２】
通常の軟質のプラスチック材料（樹脂材）を用いた場合は、係合部６４ｈが弾性変形し易く、また材料の破壊に対しては粘り強い性質があるので、ピンの移動が進行し、ランナーロックピンの係止部５８ｃの先端５８ｃ２が前記ランナーの係合部６４ｈから抜ける寸前で、圧縮量及び圧縮力が最大となったときでも、これにより、係合部６４ｈの材料が破壊するには至らない。従って係合部６４ｈを破断せず、ランナー６４側に残したまま、ランナーロックピンを引き抜くことができる。
【００１３】
これに対し、強化プラスチック材料を用いた場合には、材料の弾性率は高いが、破壊に対しては比較的脆い面があり、破壊を生ずる変形量（圧縮量）は通常のプラスチック材料よりもかなり小さい。従って、ピンの移動に伴って前記ランナーの係合部６４ｈに生ずる圧縮量は同様であるが、この圧縮量がピンが抜ける以前にランナー６４の材料を破壊する値に達し、筒状の前記係合部６４ｈは途中から破断し、破断部より先の部分は、図１１に示すようにランナーロックピン５８の係止部５８ｃにリング状の残樹脂６４ｃとして付着して一緒に引き抜かれ、破断部より後の部分はランナー６４側に残ることになる。
【００１４】
なお、前記係止部５８ｃの切り込み５８ｃ１の最大深さ（図９のｄｍ２）をかなり浅くし、逆テーパーの勾配をかなり小さくすれば、前記の圧縮量が少なくなり、かかる破断による残樹脂の問題はなくなる。しかし、この場合、前記係止部５８ｃのロック力が弱くなり、図１０に示すランナープレート５４とストッパープレート５５を引き離す工程に於いて、ランナー６４に対するストッパープレート５５の保持力が十分でないため、ランナー６４をランナープレート５４から引き離すことができず、置き去りにし、ランナー６４と製品５１の分離をすることが出来ない場合を生じ、分離動作の確実性が得られないことが、試行により認識された。
【００１５】
以上を要約すれば、ランナーロックピン５８をランナー６４から抜き出すために必要となるランナー６４の圧縮量は係止部５８ｃの切り込み深さｄｍ２（図９参照）に比例する。強化プラスチック材を用いた場合、破断しない限界の圧縮量は、通常の樹脂材に比し、大幅に低下するので、破断を避けるためには、前記切り込み深さｄｍ２も大幅に減少させなければならない。しかし、このようにするとランナーに対するロック力が減少し、製品とランナーの切り離しに支障を生ずる。よって、強化プラスチック材を用いた場合、ランナー６４の破断防止（又は残樹脂６４ｃ付着防止）とロック力の確保を両立させることは困難であった。
【００１６】
ランナーロックピンの係止部５８ｃに前記のような残樹脂６４ｃが付着していると、切り込み５８ｃ１部のアンダーカットの効力が低下するので、これを取り除かない状態で次の成型加工を行うと、樹脂注入後、ランナープレート５４とストッパープレート５５の間を引き離す工程において、ランナー６４とスットパープレートの結合力が弱く、ランナー６４はストッパープレートから離れて、ランナープレート５４側に残る場合が起こる。こうなると、ランナー６４と製品が分離出来ず、共に外部に取り出すことが出来なくなる。このような状態となるのを回避するには、従来に於いては、１回の成型加工毎に前記の残樹脂６４ｃをランナーロックピン５８から除去するか、ランナーロックピン５８自体を交換する必要があった。しかし、残樹脂６４ｃの除去はかなり手間がかかり、ランナーロックピンの交換はコストも手間もかかる。よって、成型加工の度にこのようなことを行うことは、作業能率を著しく低下させたり、消耗品のコストの上昇を招き、生産性を低下させることになる。
【００１７】
図１３はランンナーロックピン５８の他の一つの従来例を示す図であり、（ａ）は正面図、（ｂ）は下面図である。図１３に示すように本例のランナーロックピン５８は頭部５８ａ、該頭部５８ａの下方に接続する円筒状の胴部５８ｂおよび該胴部５８ｂの下方に接続する係止部５８ｃよりなる。前記係止部５８ｃは、アンダーカット部として、その周方向に設けられたランナーのモールド材を係止するための切り込み深さｄａ５の切り込み５８ｃ５を１個備えている。該切り込み５８ｃ５は、係止部５８ｃの軸方向に平行又は略平行な底部５８ｃ６と、その軸方向に垂直又は略垂直な互いに対向する下方を向いた側部５８ｃ７１と上方を向いた側部５８ｃ７２よりなる溝形状をなしている。上方を向いた側部５８ｃ７２の外端部には面取りｋがなされている。
【００１８】
本例のランナーロックピン５８を図８に示すモールド型に用いた場合も、図１１に示したランナーロックピン５８と同様の原理により、同様に機能し、同様の問題点を生ずる。すなわち、ランナーロックピン５８をランナー６４から抜き出すために必要となるランナー６４の圧縮量およびランナーロック力は図１３に示す係止部５８ｃの前記切り込み深さｄａ５に比例する。従って、強化プラスチック材を用いた場合、すでに述べたのと同様の理由により、ランナー６４の破断防止（又は残樹脂６４ｃ付着防止）とロック力の確保を両立させることは困難であり、前記と同様の問題を生じていた。
【００１９】
本発明は、ランナーロックピンに関し、上に述べてきた問題を解決すべき課題とするものである。そして本発明はこの課題を解決することにより、強化プラスチックを用いた際にも、前記の残樹脂を生じないランナーロックピンを提供することにより、樹脂の成型加工の生産性を向上させることを目的とする。
【００２０】
【課題を解決するための手段】
上記の課題を解決するための第１の手段として本発明は、頭部、該頭部の下方に接続する胴部、および該胴部の下方に接続し、アンダーカット部を備えた係止部を有するランナーロックピンにおいて、前記係止部はその周方向に設けられたモールド材を係止するための切り込みをその軸方向関し複数個備え、前記係止部にその軸方向に、平行又は略平行な切り込み面を有するＤカットの切り込みが設けられていることを特徴とする。
【００２６】
【発明の実施の形態】
（実施例１）
以下図面に基づいて本発明の好適な実施の形態を第１の実施例について説明する。図１は本実施例のランナーロックピン１０を示す図であり、（ａ）は正面図、（ｂ）は下面図である。図１に示すようにランナーロックピン１０は頭部１、該頭部１の下方に接続する円筒状の胴部２、および該胴部２の下方に接続する係止部３よりなり、鉄等金属により形成されている。前記係止部３は、アンダーカット部として、その周方向に設けられたランナーのモールド材を係止するための切り込み４をその軸方向に関し２個備えている。該切り込み４はその深さが前記頭部１に向かって深くなる逆テーパーの溝形状をなしており、溝の底部４ｂは円錐面をなしている。係止部３の最大外径Ｄ３は前記胴部２の外径Ｄ２よりも小さく形成されている。そして、切り込み４の最大深さｄｍ１は図９に示した従来のランナーロックピンのアンダーカット部の切り込みの最大深さｄｍ２よりも浅くなるように形成されている。
【００２７】
本実施例のランナーロックピン１０の作用につき説明する。図２は該ランナーロックピン１０が前記の図８に示したモールド型に装着された状態を示す図である。図２に示すように、ランナーロックピン１０はその頭部１および胴部２がストッパープレート５５および取付板５６に保持され、その係止部３は、ストッパープレート５５の案内孔５５ａの出口５５ａ１の外に、ランナープレート５４の通孔５４ａの入り口およびランナープレート５４の溝５４ｂ内に突出して配置される。
【００２８】
モールド型に強化プラスチックの溶融樹脂が注入されると、樹脂は前記溝５４ｂから胴部２と案内孔５５ａの出口５５ａ１の間の隙間にその充填部材６４ｄとして入り込むとともに、図１に示す切り込み４内その充填部材６４ｃとして入り込み、前記隙間および切り込み４を充填し、これら充填部材６４ｄと６４ｃがランナー６４の係合部６４ｆとなる。樹脂が冷却・固化されるとランナー６４は前記係合部６４ｆに於いてランナーロックピン１０の係止部３により係止される。この係止によるロック力は、１個の切り込み４については、切り込み深さｄｍ１が図９に示した従来のものの切り込み深さｄｍ２よりも小さくなっているため、ロック力も従来のものよりも弱くなっているが、切り込み４は２個あり、全体としては、ロック力は加算されて倍となり、図９に示した従来のもののロック力と同等となる。
【００２９】
ランナー６４が冷却・固化した後、ランナープレート５４とストッパープレート５５の間を引き離すとランナー６４は十分なロック力によりスットッパープレート５５にロックされているので、ストッパープレート５５と一体としてランナープレート５４から引き離され、図１０に示したのと同様の原理により、ランナー６４と製品５１とが切り離され、すでに述べたようにして製品５１の取り出しが可能となる。
【００３０】
次に、スットッパープレート５５と取付板５６の間を引き離すと、ランナーロックピン１０の係止部３は図１２に示したのと同様の原理により、その移動に伴ってランナー６４の前記係合部６４ｆを圧縮するが、ランナーロックピン１０の係止部３が抜け出すため必要な最大の圧縮量は、図２に示す切り込み深さｄｍ１と等しいと考えることができ、これは図９に示した従来の切り込み深さｄｍ２の半分程度である。この程度の圧縮量であれば、強化プラスチック材であってもランナー６４が破断することはない。よって、ランナー６４の前記係合部６４ｆを破断することなく、ランナーロックピン１０を引き出す出すことができる。そして、ランナーロックピン１０が引き抜かれた後に、その係止部３には、従来のごとき残樹脂（６４ｃ）が何等残っていない。よって、ランナーロックピンを取り出すことなく、取付板５６に保持された状態で、次の製品の成型工程を行うことができ、従来よりも格段に生産性を向上させることができる。かような本実施例の効果の原因を要約すれば、切り込み４を２個設けることにより、浅い切り込み深さにおいて、ランナーロック力の確保と残樹脂の防止を両立させたことにある。
【００３１】
（実施例２）
以下図面に基づいて本発明の好適な実施の形態を第２の実施例について説明する。図３は本実施例のランナーロックピン１０を示す図であり、（ａ）は正面図、（ｂ）は下面図である。図３に示すように本実施例のランナーロックピン１０は頭部１、該頭部１の下方に接続する円筒状の胴部２、および該胴部２の下方に接続する係止部３よりなる。前記係止部３は、アンダーカット部として、その周方向に設けられたランナーのモールド材を係止するための切り込み５をその軸方向に関し２個備えている。該切り込み５は、係止部３の軸方向に平行又は略平行な底部５ａと、その軸方向に垂直又は略垂直な互いに対向する下方を向いた側部５ｂ１、５ｂ２と上方を向いた側部５ｂ３とよりなる溝形状をなしている。上方を向いた側部５ｂ３の外端部には面取りｋがなされている。
【００３２】
係止部３の最外径は前記胴部２の外径よりも若干小さく形成されている。そして、切り込み５の深さｄａ１は図１３に示した従来のランナーロックピンのアンダーカット部の切り込みの深さｄａ５よりも浅くなるように形成されている。図３に示す本実施例のランナーロックピン１０も切り込みの深さが従来よりも小であり、切り込みが２個設けられている点では図１に示した第１の実施例と共通である。よって、同様の原理により、同様の作用効果を有する。
【００３３】
（実施例３）
以下図面に基づいて本発明の好適な実施の形態を第３の実施例について説明する。図４は本実施例のランナーロックピン１０を示す図であり、（ａ）は正面図、（ｂ）は下面図である。図４に示すように本実施例のランナーロックピン１０は頭部１、該頭部１の下方に接続する円筒状の胴部２、および該胴部２の下方に接続し、切り込み４を有する係止部３よりなる。前記係止部３の形状は、図１に示した第１の実施例のランナーロックピンの係止部３と同様のものに、更にその軸に平行な逃げ面１２を設けたＤカットの構造となっている。但し、本実施例の場合は係止部３の最大外径寸法は胴部２の外径寸法と一致又は略一致している。
【００３４】
本実施例のランナーロックピンの作用につき、説明する。図５（ａ）は本実施例のランナーロックピンの図８に示したモールド型内の配置を示す正面から見た断面図であり、図５（ｂ）は図５（ａ）のＡーＡ断面に於ける上面から見た断面図である。図５（ａ）に示すように、ランナーロックピンの係止部３は、ランナープレート５４の溝５４ｂと連通するストッパープレート５５の案内孔５５ａの出口５５ａ１の外で、ランナープレート５４の通孔５４ａの入口及び前記溝５４ｂ内に突出して配置される。
【００３５】
モールド型に樹脂が注入されると、樹脂は前記溝５４ｂから胴部２と案内孔５５ａの出口５５ａ１の間の隙間にその充填部材６４ｄとして入り込むとともに、図４に示す切り込み４内にその充填部材６４ｃとして入り込み、前記の隙間および切り込み４を充填し、これら充填部材６４ｄおよび６４ｃが充填しランナー６４の一部となる。図５（ｂ）に示すように、ランナー６４の樹脂は前記切り込み４に充填された部分６４ｃおよび逃げ面１２に対向する部分１２ａが連結して、係止部３の肉部を取り囲んだ形となっている。従って、充填された樹脂が冷却・固化されたとき、前記６４ｃと６４ｄからなる囲いが所定の寸法にまで広げられるか、この囲いの一部が破断されない限りランナー６４のロックは解除されない。切り込み４の深さｄｍ３は図５（ａ）に示すように浅いが、かかるロックは２箇所において行われている。よって、ランナーロックピンの係止部３により、ランナー６４はストッパープレート５５に十分なロック力をもってロックされる。
【００３６】
従って、次に、ランナープレート５４とストッパープレート５５を引き離す際、ランナー６４はストッパープレート５５と一体となって、ランナープレート５４から引き離され、すでに説明したようにして、図１０に示す製品５１とランナー６４の分離が支障なく行われる。その後、図８に示す取付板５６をストッパープレート５５から引き離し、ランナーロックピン１０をランナー６４から引き抜く際には、図５（ｂ）に示す前記のランナー６４における囲いが係止部３を通す大きさに拡大されるか、又は前記囲いのうち強度の弱い、切り込み４に充填された部分６４ｃのどこか一箇所が破断され、破断された前記部分６４ｃはこれと連結している前記逃げ面１２に対向する部分１２ａとともにストッパープレート５５側に残り、ランナーロックピン１０のみが取付板５６と一体として移動し、ランナー６４から抜き取られる。この動作が終わった時点では、ランナーロックピン１０には従来のような残樹脂が全く付着していない。
【００３７】
この際、もしも、前記切り込み４の深さｄｍ３が十分深いと、ランナーロックピン１０を引き抜く際の破断は図５（ｂ）の６４ｃの部分に限定されず、１２ａの部分でも発生し易くなり、ランナーの一部がリング状をなして分離し、ランナーロックピン１０と一体となって、引き抜かれることになる。この点で本実施例は、切り込み４を２個設けることにより、浅い切り込み深さｄｍ３において、ランナーロック力の確保と残樹脂の防止を両立させたものであり、従って、本実施例のランナーロックピンも図１に示した第１の実施例と同様の長所を有する。
【００３８】
（実施例４）
以下図面に基づいて本発明の好適な実施の形態を第４の実施例について説明する。図６は本実施例のランナーロックピン１０を示す図であり、（ａ）は正面図、（ｂ）は下面図である。図６に示すように本実施例のランナーロックピン１０は頭部１、該頭部１の下方に接続する円筒状の胴部２、および該胴部２の下方に接続し、２個の切り込み５を有する係止部３よりなる。前記係止部３の形状は、図３に示した第２の実施例のランナーロックピンの係止部３と同様のものに、更にその軸に平行な逃げ面１２を設けたＤカットの構造となっている。但し、本実施例の場合は係止部３の最大外径寸法は胴部２の外径寸法と一致又は略一致している。又、切り込み５の上方を向いた側部５ｂ３には面取りがなされていない。切り込み５の深さｄａ３は図３に示した第２の実施例と同様に浅いものとなっている。本実施例のランナーロックピンは図４に示した第３の実施例のランナーロックピンと溝の形は変わっているが、実質的な差はなく、同様の作用原理により、機能し、第１乃至第３の実施例と同様の長所を有する。
【００３９】
（実施例５）
以下図面に基づいて本発明の実施の形態を好適な第５の実施例について説明する。図７は本実施例のランナーロックピン１０を示す図であり、（ａ）は正面図、（ｂ）は下面図である。図１に示すようにランナーロックピン１０は頭部１、該頭部１の下方に接続する円筒状の胴部２、および該胴部２の下方に接続する係止部３よりなる。前記係止部３は、アンダーカット部として、その周方向に設けられたランナーのモールド材を係止するための切り込み４をその軸方向に関し３個備えている。該切り込み４はその深さが前記頭部１に向かって深くなる逆テーパーの溝形状をなしており、溝の底部４ｂは円錐面をなしている。係止部３の最外径は前記胴部２の外径よりも若干小さく形成されている。そして、切り込み４の最大深さｄｍ５は図９に示した従来のランナーロックピンのアンダーカット部の切り込みの最大深さｄｍ２よりも浅くなるように形成されている。
【００４０】
本実施例は図１に示した第１の実施例のランナーロックピンに対し、切り込み４が１個だけ増えた形状を有する。第１の実施例の長所は、切り込み４を２個設けることにより、浅い切り込み深さにおいて、ランナーロック力の確保と残樹脂の防止を両立させたことにあるが、かかる効果は、切り込み４の数が増えるに従い、更に増大する。従って、本実施例のランナーロックピン１０は第１の実施例のランナーロックピンに比較し、構造は複雑となるが、残樹脂防止とランナーロック力の確保を更に確実にすることができる。又本発明は以上の第１乃至第５の実施例において例示したランナーロックピンに限らず、これらに対し、切り込みの数を更に増やしたものにおいても、前記の機能の両立という面で、同等又はそれ以上の長所を有するものである。
【００４１】
【発明の効果】
以上に述べたように、本発明によれば、強化プラスチック材を用いてモールド型による成型加工を行う際に従来生じていた、ランナーロックピンへの残樹脂の付着をランナーロック力を損なうことなく防止し、かかる成型加工の生産性を従来よりも顕著に向上させることができる。
【図面の簡単な説明】
【図１】本発明の実施の形態の一つであるランナーロックピンの構成を示す図であり、（ａ）は正面図、（ｂ）は下面図である。
【図２】図１に示したランナーロックピンのモールド型内の配置を示す断面図である。
【図３】本発明の実施の形態の一つであるランナーロックピンの構成を示す図であり、（ａ）は正面図、（ｂ）は下面図である。
【図４】本発明の実施の形態の一つであるランナーロックピンの構成を示す図であり、（ａ）は正面図、（ｂ）は下面図である。
【図５】図４に示したランナーロックピンのモールド型内の配置を示す断面図であり、（ａ）は正面図、（ｂ）は（ａ）のＡーＡ線断面の上面図である。
【図６】本発明の実施の形態の一つであるランナーロックピンの構成を示す図であり、（ａ）は正面図、（ｂ）は下面図である。
【図７】本発明の実施の形態の一つであるランナーロックピンの構成を示す図であり、（ａ）は正面図、（ｂ）は下面図である。
【図８】従来のモールド型の基本構成を示す断面図である。
【図９】図８に於けるＧの部分拡大図である。
【図１０】従来のモールド型の動作を示す断面図である。
【図１１】従来のランナーロックピンの構成を示す断面図である。
【図１２】従来のモールド型の動作を示す断面図である。
【図１３】従来のランナーロックピンの構成を示す図であり、（ａ）は正面図、（ｂ）は下面図である。
【符号の説明】
１  頭部
２  胴部
３  係止部
４、５  切り込み
５ａ  底部
５ｂ  側部
１０  ランナーロックピン
１２  逃げ面
Ｄ２  胴部の外径
Ｄ３  係止部の最大外径
【図１】
0003992328.tif 000002
【図２】
0003992328.tif 000003
【図３】
0003992328.tif 000004
【図４】
0003992328.tif 000005
【図５】
0003992328.tif 000006
【図６】
0003992328.tif 000007
【図７】
0003992328.tif 000008
【図８】
0003992328.tif 000009
【図９】
0003992328.tif 000010
【図１０】
0003992328.tif 000011
【図１１】
0003992328.tif 000012
【図１２】
0003992328.tif 000013
【図１３】
0003992328.tif 000014